(57)【要約】      （修正有）【課題】シートベルトから受ける圧力を軽減させ、接触する部分の衣類のすれ、しわ等の発生や、身体への圧迫感を軽減することができる、簡単便利なシートベルト補助具を提供する。【解決手段】ヘッドレストポールに固定する固定部１と、前記固定部１に保持され、座席の背もたれとシートベルトの間に空間を作るシートベルトホルダー３とを備え、さらには、前記シートベルトホルダー３の一部に切れ目４を設けたことを特徴とし、前記シートベルトホルダー３は、連結部材により、前記固定部１に対して可動自在に連結されている。【選択図】図１
0003180553.tif 000002
【実用新案登録請求の範囲】
【請求項１】
ヘッドレストポールに固定する固定部と、前記固定部に保持され、座席の背もたれとシートベルトの間に空間を作るシートベルトホルダーとを備えることを特徴とするシートベルト補助具。
【請求項２】
前記シートベルトホルダーの一部に切れ目を設けたことを特徴とする請求項１記載のシートベルト補助具。
【請求項３】
前記シートベルトホルダーは、連結部材により、前記固定部に対して可動自在に連結されていることを特徴とする請求項１又は２に記載のシートベルト補助具。
【考案の詳細な説明】
【技術分野】
【０００１】
本考案は簡単かつ便利なシートベルト補助具であり、衣類のすれ、しわ等の発生を防ぎ、シートベルトからの圧迫による肩こりも軽減できる、樹脂、または金属製のシートベルト補助用具に関するものである。
【背景技術】
【０００２】
従来からあるシートベルト補助具は、体型に合わせ長さを調節したり、シートからのズレを防いだりするためのもので、使用時の使いやすさ、またベルト接合部分などを改善しただけのものである。
【考案の概要】
【考案が解決しようとする課題】
【０００３】
従来からあるシートベルトは、身体に接触する部分の衣類のすれ、しわ等の発生の原因になり、特に肩の部分は長時間使用していると圧迫による違和感が生じ、肩こりなどの症状を引き起こしていた。現在存在するシートベルト補助具は、使用者の体型に合わせるため長さを調節し固定するものが有るが、使用方法を誤ると安全性を損ねることが指摘されていた。また、しわ等の発生を防ぐためシートベルトを覆うように帯状に装着させるものも有るが、いずれも使用者が満足出来る機能は有してなく不便であった。
【課題を解決するための手段】
【０００４】
本考案は、ヘッドレストポールに固定する固定部と、前記固定部に保持され、座席の背もたれとシートベルトの間に空間を作るシートベルトホルダーとを備えることを特徴とするシートベルト補助具である。
【考案の効果】
【０００５】
本考案は上記のように構成したもので概略以下のような効果を奏する。
樹脂または軽金属の物質で形成され、軽く、また簡単に装着できる。
従来からあるシートベルト補助具と比べ、長時間運転しても身体が疲労しにくい。
シートベルトを保持するホルダー部は自在に回転し、適当な位置を保持することで、シートベルト本来の機能を損なうことが無い。
前記シートベルト補助具は、シートベルトが身体並びに衣服に接触する面積並びに接触による圧迫を減少させ、衣類のすれ、しわ等の発生の原因を解消し、尚かつベルトからの圧力による肩、胸部の圧迫感を軽減する。
ヘッドレストポールに固定することで、自在に横回転することが出来、車両乗降時に邪魔にならない。
シートベルト保持具等の車体の一部に装着し、前記の効果を奏する形状である。
【図面の簡単な説明】
【０００６】
【図１】本考案のシートベルト補助具の斜視図である。
【図２】本考案の正面図である。
【図３】本考案の側面図である。
【図４】本考案の斜視図である。
【図５】本考案の正面図である。
【図６】本考案の側面図である。
【考案を実施するための形態】
【実施例】
【０００７】
以下、本考案の実施例を図面に基づき、詳細に説明する。
図１並びに図４は、本考案の斜視図、図２並びに図５は上記シートベルト補助具の正面図、図３並びに図６はその側面図である。また、T1はヘッドレストのポール部に固定するタイプの、T２はシートベルト保持具に固定するタイプの図面である。
図のようにシートベルト補助具Ｔ1は、樹脂または金属で形成しているヘッドレストポール固定部１にヘッドレストのポール部を、シートベルトホルダー３の切れ目４を通してシートベルトのベルト部をそれぞれ入れる事で使用可能となる。また、自在可動アーム２、回転軸部５を適宜湾曲回転させることでシートベルトの位置を調整する。
シートベルト補助具Ｔ２は、樹脂または金属で形成している補助具固定フック６をシートベルト保持具に、またシートベルトガイド１０にそってシートベルトを入れ、シートベルト保持爪８で固定する事で使用可能となる。また、自在可動ベルト保持具７を適宜湾曲回転させ、シートベルト保持部９を適宜固定することでシートベルトの位置を調整する。
【０００８】
前記補助具T1を使用してシートベルトの固定を行う場合、車両への乗降時にはヘッドレストポール固定部を軸に補助具を横に回転させる事で、シートベルトを補助具から外すことなく容易に収納できる。
【０００９】
図２の正面図に示すとおり、シートベルトホルダー３に切れ目４を設けることにより、シートベルトの補助具への固定が容易に行える。また、ホルダーの回転軸部５により、乗車中の多少の身動きに対して、シートベルトの追従性能を確保する。
【００１０】
図３に示す自在可動アーム２は、図では直線上の構造を成しているが、自在に湾曲が出来、調整した後のシートベルト位置を固定出来る剛性をもった樹脂製、あるいは金属製よりなる。
【００１１】
上記の実施例ではホルダー回転軸部５を、切れ目４に対面する箇所に設けると図示してあるが、それぞれの部位はこれに限定されるものではない。
【００１２】
図４の斜視図に示す補助具固定フック６は、図では左右対称の1対のかぎ爪状として図示してあるが、対称性やかぎ爪の形状、数は限定されるものではなく、かぎ爪に限定されるものでもない。例えば、ヘッドレスト等に巻き付ける帯状の器具による固定等も想定される。
【００１３】
図６の側面図に示すシートベルト保持爪８は、半円形で位置をずらした1対のものとして、並びにシートベルトガイド１０は、連続した1対の直線として図示してあるが、それぞれの形状や数、設置位置が限定されるものではない。例えば、保持爪８とシートベルトガイド１０が連続した、L字状のシートベルト固定具等も想定される。
【符号の説明】
【００１４】
１      ヘッドレストポール固定部
２      自在可動アーム
３      シートベルトホルダー
４      切れ目
５      ホルダー回転軸部
Ｔ      シートベルト補助具
６      補助具固定フック
７      自在可動ベルト保持具
８      シートベルト保持爪
９      シートベルト保持部
１０    シートベルトガイド
Ｔ１  Ｔ２  シートベルト補助具
【図１】
0003180553.tif 000003
【図２】
0003180553.tif 000004
【図３】
0003180553.tif 000005
【図４】
0003180553.tif 000006
【図５】
0003180553.tif 000007
【図６】
0003180553.tif 000008
【手続補正書】
【提出日】平成24年10月30日(2012.10.30)
【手続補正１】
【補正対象書類名】実用新案登録請求の範囲
【補正対象項目名】全文
【補正方法】変更
【補正の内容】
【実用新案登録請求の範囲】
【請求項１】
ヘッドレストポールに固定する固定部と、連結部材を介して前記固定部に可動自在に連結され、座席の背もたれとシートベルトの間に空間を作るシートベルトホルダーとを備えることを特徴とするシートベルト補助具。
【請求項２】
前記シートベルトホルダーの一部に切れ目を設けたことを特徴とする請求項１記載のシ
ートベルト補助具。
【請求項３】
前記ヘッドレストポールに前記固定部が挿入されることにより、前記固定部が前記ヘッドレストポールに保持されることを特徴とする請求項１記載のシートベルト補助具。